(57)【特許請求の範囲】
【請求項１】
通信ネットワークのための通信ノードであって、該通信ノードは、
移動通信デバイスに対するページングが必要とされることを識別する手段と、
前記移動通信デバイスが以前に位置していた少なくとも１つのセルを識別する情報を入手するとともに、前記移動通信デバイスのセル間の移動、及び前記移動通信デバイスが前記少なくとも１つのセル内に位置した時刻のうちの少なくとも１つに関連する更なる情報を入手する手段と、
前記情報及び前記更なる情報に基づいて、前記移動通信デバイスを探索する少なくとも１つのセルを含む集合を画定する手段と、
前記集合の各セル内の前記移動通信デバイスに対するそれぞれのページングメッセージの送信を開始する手段と、
前記移動通信デバイスに対するページングメッセージに応答して、前記移動通信デバイスからページング応答が受信されたか否かを、特定の基地局から前記ページング応答が受信されたという通知を受信することにより判断する手段と、
前記ページングメッセージをまだ送信していない場合がある、前記移動通信デバイスのＴＡリスト上の他の基地局にページングキャンセルメッセージを送信する手段と、
を備える、通信ネットワークのための通信ノード。
【請求項２】
前記集合は第１の集合を含み、前記画定する手段は、前記情報及び前記更なる情報に基づいて、前記通信デバイスを探索する少なくとも１つのセルを含む少なくとも１つの更なる集合を画定するように動作可能である、請求項１に記載の通信ノード。
【請求項３】
前記送信を開始する手段は、前記判断する手段が、前記集合内のセルにおいて送信された前記移動通信デバイスに対するページングメッセージに応答して、前記移動通信デバイスから前記ページング応答が受信されなかったと判断する場合には、前記少なくとも１つの更なる集合の各セル内で前記移動通信デバイスに対するそれぞれのページングメッセージの送信を開始するように動作可能である、請求項２に記載の通信ノード。
【請求項４】
前記送信を開始する手段は、第１の時間後に前記第１の集合の各セル内の前記移動通信デバイスに対してそれぞれのページングメッセージの送信を開始し、前記第１の時間より長い少なくとも１つの他の時間後に前記少なくとも１つの更なる集合の各セル内で前記移動通信デバイスに対するそれぞれのページングメッセージの送信を開始するように動作可能である、請求項２に記載の通信ノード。
【請求項５】
前記送信を開始する手段は、前記判断する手段が、前記第１の集合のセル内で送信された前記移動通信デバイスに対するページングメッセージに応答して前記移動通信デバイスから前記ページング応答が受信されたと判断する場合には、前記少なくとも１つの他の時間の終了前に、前記少なくとも１つの更なる集合の各セル内で前記移動通信デバイスに対するそれぞれのページングメッセージの送信を取り消すように動作可能である、請求項４に記載の通信ノード。
【請求項６】
前記移動通信デバイスに対するページングメッセージに応答して前記移動通信デバイスから前記ページング応答が受信された否かに応じて、前記情報及び前記更なる情報のうちの少なくとも１つを更新する手段を更に備える、請求項１〜５のいずれか一項に記載の通信ノード。
【請求項７】
前記移動通信デバイスに対するページングが必要とされることを識別する手段は、前記移動通信デバイスに対するダミーページングが必要とされることを識別するように動作可能であり、前記少なくとも１つのページングメッセージはダミーページングメッセージを含む、請求項１〜６のいずれか一項に記載の通信ノード。
【請求項８】
前記更なる情報は、前記少なくとも１つのセル内に前記移動通信デバイスが位置したそれぞれの時刻を識別する、請求項１〜７のいずれか一項に記載の通信ノード。
【請求項９】
前記更なる情報は、前記移動通信デバイスと前記通信ノードとの間の接続が解放された後に経過した時間を識別する情報を含む、請求項１〜８のいずれか一項に記載の通信ノード。
【請求項１０】
前記更なる情報は、前記移動通信デバイスが以前に位置していた少なくとも１つの更なるセルを識別する情報を含む、請求項１〜９のいずれか一項に記載の通信ノード。
【請求項１１】
前記更なる情報は、前記ページングメッセージ又はページング要求が送信／受信されるページング時刻を識別する情報を含み、前記通信ノードは、前記ページング時刻に基づいて、前記移動通信デバイスの前記セル間の移動の予想レベルを推定するように動作可能である、請求項１〜１０のいずれか一項に記載の通信ノード。
【請求項１２】
ホーム基地局ゲートウェイを含む、請求項１〜１１のいずれか一項に記載の通信ノード。
【請求項１３】
モビリティ管理エンティティを含む、請求項１〜１１のいずれか一項に記載の通信ノード。
【請求項１４】
前記更なる情報は、前記移動通信デバイスがアイドルモードにあるときの、前記移動通信デバイスのセル間の移動に関連する情報を含む、請求項１〜１３のいずれか一項に記載の通信ノード。
【請求項１５】
前記更なる情報は、前記移動通信デバイスが接続モードにあるときの、前記移動通信デバイスのセル間の移動に関連する情報を含む、請求項１〜１４のいずれか一項に記載の通信ノード。
【請求項１６】
前記更なる情報は、動作モード間（例えば、アイドルモードと接続モードとの間）の、前記移動通信デバイスの少なくとも１つの遷移に関連する情報を含む、請求項１〜１５のいずれか一項に記載の通信ノード。
【請求項１７】
前記少なくとも１つのセルを識別する情報、及び／又は前記更なる情報はセルＩＤを含む、請求項１〜１６のいずれか一項に記載の通信ノード。
【請求項１８】
通信ネットワークのための通信ノードであって、該通信ノードは、
移動通信デバイスに対するページングが必要とされることを識別する手段と、
前記移動通信デバイスが以前に位置していた少なくとも１つのセルを識別する情報を入手する手段と、
前記入手された情報に基づいて、それぞれが前記移動通信デバイスを探索する少なくとも１つのセルを含む、複数の集合を画定する手段と、
前記複数の集合の各セル内の前記移動通信デバイスに対するそれぞれのページングメッセージの送信を開始するとともに、それが経過した後に前記送信が行われるべきであるそれぞれの時間を指定する手段と、
を備え、
前記それぞれの時間は、どの集合が、各ページングメッセージが送信されることになるセルを含むかに応じて指定される、通信ネットワークのための通信ノード。
【請求項１９】
通信ネットワークのセル内でページングメッセージを送信するための基地局であって、前記セルは前記基地局によって運用され、該基地局は、
移動通信デバイスが前記セル内に位置するか、又は以前に位置していた場合には、通信ノードに、前記移動通信デバイスに関連する情報を提供する手段であって、前記情報は、前記セルを識別する情報と、前記セル内、及び／又は前記セル外への前記移動通信デバイスの移動、並びに前記移動通信デバイスが前記セル内に位置した時刻のうちの少なくとも１つに関連する更なる情報とを含む、提供する手段と、
前記通信ノードから、前記移動通信デバイスに対するページングメッセージのページング要求を受信する手段であって、前記ページング要求は、前記基地局によって提供される前記情報及び前記更なる情報に基づいて前記通信ノードによって送信される、要求を受信する手段と、
前記通信ノードから受信された要求に応答して、前記セル内の前記移動通信デバイスに対する関連するページングメッセージを送信する手段と、
前記通信ノードから、ページングメッセージの送信を取り消す指示を受信する手段と、
を備え、
ページングメッセージの送信を取り消す前記指示に応答して、以前に要求されたページングメッセージの送信を取り消すように動作可能である、基地局。
【請求項２０】
前記要求を受信する手段は、前記移動通信デバイスから、前記ページングメッセージへの応答を受信するように動作可能であり、前記提供する手段は、前記通信ノードに、前記移動通信デバイスから前記応答が受信されたという指示を与えるように動作可能である、請求項１９に記載の基地局。
【請求項２１】
前記移動通信デバイスから受信される前記応答は接続要求である、請求項２０に記載の基地局。
【請求項２２】
前記基地局によって前記移動通信デバイスから前記ページングメッセージへの応答が受信されなかった場合には、前記基地局は、
前記通信ノードに、前記移動通信デバイスから前記ページングメッセージに対する応答が受信されなかったという指示を与えるように更に動作可能である、請求項２０に記載の基地局。
【請求項２３】
前記要求を受信する手段は、前記ページングメッセージが前記移動通信デバイスに送信されるべきである後の時間を識別する情報を受信するように動作可能であり、
前記送信する手段は、前記時間後に前記関連するページングメッセージを送信するように動作可能である、請求項１９〜２０のいずれか一項に記載の基地局。
【請求項２４】
ページングメッセージの前記送信要求は、ダミーページングメッセージの送信要求であり、前記関連するページングメッセージはダミーページングメッセージである、請求項１９〜２３のいずれか一項に記載の基地局。
【請求項２５】
通信システムのための移動通信デバイスであって、前記通信システムは、通信ノードと、それぞれがセルを運用するように構成される複数の基地局と、該移動通信デバイスとを備え、
前記通信ノードは、
該移動通信デバイスに対するページングが必要とされることを識別する手段と、
該移動通信デバイスが以前に位置していた少なくとも１つのセルを識別する情報を入手するとともに、該移動通信デバイスのセル間の移動、及び該移動通信デバイスが前記少なくとも１つのセル内に位置した時刻のうちの少なくとも１つに関連する更なる情報を入手する手段と、
前記情報及び前記更なる情報に基づいて、該移動通信デバイスを探索する少なくとも１つのセルを含む集合を画定する手段と、
前記集合の各セル内の該移動通信デバイスに対するそれぞれのページングメッセージの送信を開始する手段と、
前記移動通信デバイスに対するページングメッセージに応答して、前記移動通信デバイスからページング応答が受信されたか否かを、特定の基地局から前記ページング応答が受信されたという通知を受信することにより判断する手段と、
前記ページングメッセージをまだ送信していない場合がある、前記移動通信デバイスのＴＡリスト上の他の基地局にページングキャンセルメッセージを送信する手段と、
を備え、
前記複数の基地局の各基地局は、
該移動通信デバイスが、前記基地局によって運用されるセル内に位置するか、又は以前に位置していた場合には、前記通信ノードに、該移動通信デバイスに関連する情報を提供する手段であって、前記情報は、前記基地局によって運用される前記セルを識別する情報と、前記基地局によって運用される前記セル内、及び／又は前記セル外への該移動通信デバイスの移動、並びに該移動通信デバイスが前記基地局によって運用される前記セル内に位置した時刻のうちの少なくとも１つに関連する更なる情報とを含む、提供する手段と、
前記通信ノードから、該移動通信デバイスに対するページングメッセージのページング要求を受信する手段であって、前記ページング要求は、前記基地局によって提供される前記情報及び前記更なる情報に基づいて前記通信ノードによって送信される、要求を受信する手段と、
前記通信ノードから受信された要求に応答して、前記基地局によって運用される前記セル内の前記移動通信デバイスに対する関連するページングメッセージを送信する手段と、
前記ページングメッセージをまだ送信していない場合に、前記ページングキャンセルメッセージを受信する手段と、
を備え、
該移動通信デバイスは、前記通信ノードからのページング要求に応答して、前記複数の基地局のうちの１つの基地局によって送信されたページングメッセージを受信し、接続要求を用いて前記ページングメッセージに応答するように動作可能である、通信システムのための移動通信デバイス。
【請求項２６】
通信ノードと、それぞれがセルを運用するように構成される複数の基地局と、少なくとも１つの移動通信デバイスとを備える通信システムであって、
前記通信ノードは、
前記移動通信デバイスに対するページングが必要とされることを識別する手段と、
前記移動通信デバイスが以前に位置していた少なくとも１つのセルを識別する情報を入手するとともに、前記移動通信デバイスのセル間の移動、及び前記移動通信デバイスが前記少なくとも１つのセル内に位置した時刻のうちの少なくとも１つに関連する更なる情報を入手する手段と、
前記情報及び前記更なる情報に基づいて、前記移動通信デバイスを探索する少なくとも１つのセルを含む集合を画定する手段と、
前記集合の各セル内の前記移動通信デバイスに対するそれぞれのページングメッセージの送信を開始する手段と、
前記移動通信デバイスに対するページングメッセージに応答して、前記移動通信デバイスからページング応答が受信されたか否かを、特定の基地局から前記ページング応答が受信されたという通知を受信することにより判断する手段と、
前記ページングメッセージをまだ送信していない場合がある、前記移動通信デバイスのＴＡリスト上の他の基地局にページングキャンセルメッセージを送信する手段と、
を備え、
前記複数の基地局の各基地局は、
移動通信デバイスが、前記基地局によって運用されるセル内に位置するか、又は以前に位置していた場合には、前記通信ノードに、前記移動通信デバイスに関連する情報を提供する手段であって、前記情報は、前記基地局によって運用される前記セルを識別する情報と、前記基地局によって運用される前記セル内、及び／又は前記セル外への前記移動通信デバイスの移動、並びに前記移動通信デバイスが前記基地局によって運用される前記セル内に位置した時刻のうちの少なくとも１つに関連する更なる情報とを含む、提供する手段と、
前記通信ノードから、前記移動通信デバイスに対するページングメッセージのページング要求を受信する手段であって、前記ページング要求は、前記基地局によって提供される前記情報及び前記更なる情報に基づいて前記通信ノードによって送信される、要求を受信する手段と、
前記通信ノードから受信された要求に応答して、前記基地局によって運用される前記セル内の前記移動通信デバイスに対する関連するページングメッセージを送信する手段と、
前記ページングメッセージをまだ送信していない場合に、前記ページングキャンセルメッセージを受信する手段と、
を備える、通信システム。
【請求項２７】
通信ネットワークのための通信ノードによって実行される方法であって、該方法は、
移動通信デバイスに対するページングが必要とされることを識別することと、
前記移動通信デバイスが以前に位置していた少なくとも１つのセルを識別する情報を入手するとともに、前記移動通信デバイスのセル間の移動、及び前記移動通信デバイスが前記少なくとも１つのセル内に位置した時刻のうちの少なくとも１つに関連する更なる情報を入手することと、
前記情報及び前記更なる情報に基づいて、前記移動通信デバイスを探索する少なくとも１つのセルを含む集合を画定することと、
前記集合の各セル内の前記移動通信デバイスに対するそれぞれのページングメッセージの送信を開始することと、
前記移動通信デバイスに対するページングメッセージに応答して、前記移動通信デバイスからページング応答が受信されたか否かを、特定の基地局から前記ページング応答が受信されたという通知を受信することにより判断することと、
前記ページングメッセージをまだ送信していない場合がある、前記移動通信デバイスのＴＡリスト上の他の基地局にページングキャンセルメッセージを送信することと、
を含む、方法。
【請求項２８】
通信ネットワークのための通信ノードによって実行される方法であって、該方法は、
移動通信デバイスに対するページングが必要とされることを識別することと、
前記移動通信デバイスが以前に位置していた少なくとも１つのセルを識別する情報を入手することと、
前記入手された情報に基づいて、それぞれが前記移動通信デバイスを探索する少なくとも１つのセルを含む、複数の集合を画定することと、
前記複数の集合の各セル内の前記移動通信デバイスに対するそれぞれのページングメッセージの送信を開始し、それが経過した後に前記送信が行われるべきであるそれぞれの時間を指定することと、
を含み、
前記それぞれの時間は、どの集合が、各ページングメッセージが送信されることになるセルを含むかに応じて指定される、方法。
【請求項２９】
通信ネットワークのセル内でページングメッセージを送信するように動作可能な基地局によって実行される方法であって、前記セルは前記基地局によって運用され、該方法は、
移動通信デバイスが前記セル内に位置するか、又は以前に位置していた場合には、通信ノードに、前記移動通信デバイスに関連する情報を提供することであって、前記情報は、前記セルを識別する情報と、前記セル内、及び／又は前記セル外への前記移動通信デバイスの移動、並びに前記移動通信デバイスが前記セル内に位置した時刻のうちの少なくとも１つに関連する更なる情報とを含むことと、
前記通信ノードから、前記移動通信デバイスに対するページングメッセージの送信要求を受信することであって、前記ページング要求は、前記基地局によって提供される前記情報及び前記更なる情報に基づいて前記通信ノードによって送信されることと、
前記通信ノードから受信された要求に応答して、前記セル内の前記移動通信デバイスに対する関連するページングメッセージを送信することと、
前記通信ノードから、ページングメッセージの送信を取り消す指示を受信することと、
を含む、方法。
【請求項３０】
通信ノードと、それぞれがセルを運用するように構成される複数の基地局とを備える通信システムのための移動通信デバイスによって実行される方法であって、該方法は、
前記通信ノードからのページング要求に応答して前記複数の基地局のうちの１つの基地局によって送信されたページングメッセージを受信することと、
接続要求を用いて前記ページングメッセージに応答することと、
を含み、
前記通信ノードは、
前記移動通信デバイスに対するページングが必要とされることを識別するステップと、
前記移動通信デバイスが以前に位置していた少なくとも１つのセルを識別する情報を入手するとともに、前記移動通信デバイスのセル間の移動、及び前記移動通信デバイスが前記少なくとも１つのセル内に位置した時刻のうちの少なくとも１つに関連する更なる情報を入手するステップと、
前記情報及び前記更なる情報に基づいて、前記移動通信デバイスを探索する少なくとも１つのセルを含む集合を画定するステップと、
前記集合の各セル内の前記移動通信デバイスに対するそれぞれのページングメッセージの送信を開始するステップと、
前記移動通信デバイスに対するページングメッセージに応答して、前記移動通信デバイスからページング応答が受信されたか否かを、特定の基地局から前記ページング応答が受信されたという通知を受信することにより判断するステップと、
前記ページングメッセージをまだ送信していない場合がある、前記移動通信デバイスのＴＡリスト上の他の基地局にページングキャンセルメッセージを送信するステップと、
を実行し、
前記複数の基地局の各基地局は、
前記移動通信デバイスが、前記基地局によって運用されるセル内に位置するか、又は以前に位置していた場合には、前記通信ノードに、前記移動通信デバイスに関連する情報を提供するステップであって、前記情報は、前記基地局によって運用される前記セルを識別する情報と、前記基地局によって運用される前記セル内、及び／又は前記セル外への前記移動通信デバイスの移動、並びに前記移動通信デバイスが前記基地局によって運用される前記セル内に位置した時刻のうちの少なくとも１つに関連する更なる情報とを含む、ステップと、
前記通信ノードから、前記移動通信デバイスに対するページングメッセージの送信要求を受信するステップであって、前記ページング要求は、前記基地局によって提供される前記情報及び前記更なる情報に基づいて前記通信ノードによって送信される、ステップと、
前記通信ノードから受信された要求に応答して、前記基地局によって運用される前記セル内で前記移動通信デバイスに対する関連するページングメッセージを送信するステップと、
前記ページングメッセージをまだ送信していない場合に、前記ページングキャンセルメッセージを受信するステップと、
を実行する、方法。
【請求項３１】
通信ノードと、それぞれがセルを運用するように構成される複数の基地局と、少なくとも１つの移動通信デバイスとを備える通信システムにおいて実行される方法であって、該方法は、
前記通信ノードにおいて、
移動通信デバイスに対するページングが必要とされることを識別することと、
前記移動通信デバイスが以前に位置していた少なくとも１つのセルを識別する情報を入手するとともに、前記移動通信デバイスのセル間の移動、及び前記移動通信デバイスが前記少なくとも１つのセル内に位置した時刻のうちの少なくとも１つに関連する更なる情報を入手することと、
前記情報及び前記更なる情報に基づいて、前記移動通信デバイスを探索する少なくとも１つのセルを含む集合を画定することと、
前記集合の各セル内で前記移動通信デバイスに対するそれぞれのページングメッセージの送信を開始することと、
前記移動通信デバイスに対するページングメッセージに応答して、前記移動通信デバイスからページング応答が受信されたか否かを、特定の基地局から前記ページング応答が受信されたという通知を受信することにより判断することと、
前記ページングメッセージをまだ送信していない場合がある、前記移動通信デバイスのＴＡリスト上の他の基地局にページングキャンセルメッセージを送信することと、
を含み、
基地局において、
前記移動通信デバイスが前記基地局によって運用されるセル内に位置するか、又は以前に位置していた場合には、通信ノードに、前記移動通信デバイスに関連する情報を提供することであって、前記情報は、前記基地局によって運用される前記セルを識別する情報と、前記基地局によって運用される前記セル内、及び／又は前記セル外への前記移動通信デバイスの移動、並びに前記移動通信デバイスが前記基地局によって運用される前記セル内に位置した時刻のうちの少なくとも１つに関連する更なる情報とを含むことと、
前記通信ノードから、前記移動通信デバイスに対するページングメッセージの送信要求を受信することであって、前記ページング要求は、前記基地局によって提供される前記情報及び前記更なる情報に基づいて前記通信ノードによって送信されることと、
前記通信ノードから受信された要求に応答して、前記基地局によって運用される前記セル内で前記移動通信デバイスに対する関連するページングメッセージを送信することと、
前記ページングメッセージをまだ送信していない場合に、前記ページングキャンセルメッセージを受信することと、
を含む、方法。
【発明の詳細な説明】
【技術分野】
【０００１】
本発明は、移動通信デバイス及び移動通信ネットワークに関し、限定はしないが、特に、第３世代パートナーシッププロジェクト（３ＧＰＰ）標準規格又はその均等物若しくは派生物に従って動作する移動通信デバイス及び移動通信ネットワークに関する。本発明は、限定はしないが、これらのネットワーク内のページングシグナリング負荷の削減に特に関連する。
【背景技術】
【０００２】
３ＧＰＰ標準規格によれば、ＮｏｄｅＢ（又はＬＴＥ（すなわち、ロングタームエボリューション）のｅＮＢ）は、移動デバイスがそれを介してコアネットワークに接続し、かつネットワークのセルを画定する基地局である。ホーム基地局（ＨＮＢ）は、短距離の３Ｇ無線周波数（ＲＦ）カバレッジを提供し、フェムトアクセスポイント（ＦＡＰ）と呼ばれることもある。ホーム基地局がＬＴＥ標準規格に従って動作している場合、ＨＮＢは一般的にＨｅＮＢと呼ばれる。ＨＮＢ又はＨｅＮＢは、家、中小企業、ショッピングモール等において無線カバレッジ（例えば、３Ｇ、４Ｇ及び／又はＷｉＭＡＸ）を提供し、通常、適切なホームｅＮＢゲートウェイＨｅＮＢ  ＧＷ及び公衆又は企業のブロードバンド（ＢＢ）アクセスネットワークを介して（例えば、インターネットへのＡＤＳＬリンクを介して）コアネットワークに接続する。通常動作モード又は通常状態において動作中に、ＨＮＢ又はＨｅＮＢによって、ユーザー機器（ＵＥ）のユーザーが、複数の基地局（ｅＮｏｄｅＢ、ｅＮＢ）のうちの１つ、ＨｅＮＢ  ＧＷ及びコアネットワークを介して、他の同様のユーザーと通信できるようになる。
【０００３】
接続状態若しくは接続モード、又はアクティブ状態若しくはアクティブモードにおいて、ＵＥがネットワークに登録され、基地局とのＲＲＣ（無線リソース制御）接続を有し、それにより、ネットワークは、そのＵＥがどのセルに属するかを識別することができ、ＵＥとの間でデータを送受信することができる。ＬＴＥでは、アクティブ状態又はアクティブモードにおいて、ハンドオーバー手順によって、ＵＥはＬＴＥ内システム内（ＲＡＴ内及び周波数間）の移動、及び他のＲＡＴＳ（無線アクセス技術）への移動中に、サービス継続性を有することができるようになる。
【０００４】
ＵＥは、節電状態若しくは節電モード、又はアイドル状態若しくはアイドルモードも有し、この状態又はモードにおいて、通常、ＵＥはデータを送受信しておらず、ＵＥに関するコンテキストは基地局によって格納されていない。アイドル状態において、ＵＥのロケーションは、基地局セルのクラスター又はグループを含む追跡エリア（ＴＡ）の粒度でのみ（３ＧＰＰではＭＭＥ（移動管理エンティティ）に）知られている。アイドル状態にあるとき、ＵＥが、ＢＣＨ（ブロードキャストチャネル）内で基地局によってブロードキャストされるパラメーターに従って、セル再選択タイマ値によって与えられる頻度でセルを選択及び再選択し、基地局は、ＵＥによって行われるセル選択／再選択に関して認識しない。ＵＥが、そのＵＥがＭＭＥにおいて登録されたトラッキングエリア（複数の場合もある）の一部でないセルの中に移動する場合には、ＵＥが現時点で位置するＴＡをＭＭＥに通知するために、トラッキングエリア更新がトリガーされる。
【０００５】
現在、ＵＥとの通信を確立するために、ＵＥがＭＭＥにおいて登録されたＴＡ（複数の場合もある）の全てのセルにページング要求が送信される。この結果、各関連セルを運用している各ＨＮＢ又はＨｅＮＢが、そのＵＥに対してページングメッセージを送信する。一般的に、そのＵＥが位置するセルを運用している基地局だけがＵＥからページング応答を受信することになる。しかしながら、ＵＥをページングするこの方法は、トラッキングエリアが多数のセルを含む場合があり、かつＵＥが複数のトラッキングエリアで登録される場合があるので、エアーインターフェースに大きな負荷をかける。そのような場合、ページングオーバーヘッドが望ましくないほど大きい。
【発明の概要】
【発明が解決しようとする課題】
【０００６】
本発明は上記の問題を軽減することを目的とする。
【課題を解決するための手段】
【０００７】
１つの態様によれば、本発明は、通信ネットワークのための通信ノードであって、該通信ノードは、
移動通信デバイスに対するページングが必要とされることを識別する手段と、
前記移動通信デバイスが以前に位置していた少なくとも１つのセルを識別する情報を入手するとともに、前記移動通信デバイスのセル間の移動、及び前記移動通信デバイスが前記少なくとも１つのセル内に位置した時刻のうちの少なくとも１つに関連する更なる情報を入手する手段と、
前記情報及び前記更なる情報に基づいて、前記移動通信デバイスを探索する少なくとも１つのセルを含む集合を画定する手段と、
前記集合の各セル内の前記移動通信デバイスに対するそれぞれのページングメッセージの送信を開始する手段と、
前記移動通信デバイスに対するページングメッセージに応答して、前記移動通信デバイスからページング応答が受信されたか否かを、特定の基地局から前記ページング応答が受信されたという通知を受信することにより判断する手段と、
前記ページングメッセージをまだ送信していない場合がある、前記移動通信デバイスのＴＡリスト上の他の基地局にページングキャンセルメッセージを送信する手段と、
を備える、通信ネットワークのための通信ノードを提供する。
【０００９】
前記集合は第１の集合を含むことができ、前記画定する手段は、前記情報及び前記更なる情報に基づいて、前記通信デバイスを探索する少なくとも１つのセルを含む少なくとも１つの更なる集合を画定するように動作可能とすることができる。
【００１０】
前記送信を開始する手段は、前記判断する手段が、前記集合内のセルにおいて送信された前記移動通信デバイスに対するページングメッセージに応答して、前記移動通信デバイスから前記ページング応答が受信されなかったと判断する場合には、前記少なくとも１つの更なる集合の各セル内で前記移動通信デバイスに対するそれぞれのページングメッセージの送信を開始するように動作可能とすることができる。
【００１１】
前記送信を開始する手段は、第１の時間後に前記第１の集合の各セル内の前記移動通信デバイスに対してそれぞれのページングメッセージの送信を開始し、前記第１の時間より長い少なくとも１つの他の時間後に前記少なくとも１つの更なる集合の各セル内で前記移動通信デバイスに対するそれぞれのページングメッセージの送信を開始するように動作可能とすることができる。
【００１２】
前記送信を開始する手段は、前記判断する手段が、前記第１の集合のセル内で送信された前記移動通信デバイスに対するページングメッセージに応答して前記移動通信デバイスから前記ページング応答が受信されたと判断する場合には、前記少なくとも１つの他の時間の終了前に、前記少なくとも１つの更なる集合の各セル内で前記移動通信デバイスに対するそれぞれのページングメッセージの送信を取り消すように動作可能とすることができる。
【００１４】
前記通信ノードは、前記移動通信デバイスに対するページングメッセージに応答して前記移動通信デバイスから前記ページング応答が受信された否かに応じて、前記情報及び前記更なる情報のうちの少なくとも１つを更新する手段を更に備えることができる。
【００１５】
前記移動通信デバイスに対するページングが必要とされることを識別する手段は、前記移動通信デバイスに対するダミーページングが必要とされることを識別するように動作可能とすることができ、前記少なくとも１つのページングメッセージはダミーページングメッセージを含むことができる。
【００１７】
前記更なる情報は、前記少なくとも１つのセル内に前記移動通信デバイスが位置したそれぞれの時刻を識別することができる。
【００１８】
前記更なる情報は、前記移動通信デバイスと前記通信ノードとの間の接続が解放された後に経過した時間を識別する情報を含むことができる。
【００１９】
前記更なる情報は、前記移動通信デバイスが以前に位置していた少なくとも１つの更なるセルを識別する情報を含むことができる。
【００２０】
前記更なる情報は、前記ページングメッセージ又はページング要求が送信／受信されるページング時刻を識別する情報を含むことができ、前記通信ノードは、前記ページング時刻に基づいて、前記移動通信デバイスの前記セル間の移動の予想レベルを推定するように動作可能とすることができる。
【００２１】
前記通信ノードは、ホーム基地局ゲートウェイを含むことができる。
【００２２】
前記通信ノードは、モビリティ管理エンティティを含むことができる。
【００２３】
前記更なる情報は、前記移動通信デバイスがアイドルモードにあるときの、前記移動通信デバイスのセル間の移動に関連する情報を含むことができる。
【００２４】
前記更なる情報は、前記移動通信デバイスが接続モードにあるときの、前記移動通信デバイスのセル間の移動に関連する情報を含むことができる。
【００２５】
前記更なる情報は、動作モード間（例えば、アイドルモードと接続モードとの間）の、前記移動通信デバイスの少なくとも１つの遷移に関連する情報を含むことができる。
【００２６】
前記少なくとも１つのセルを識別する情報、及び／又は前記更なる情報はセルＩＤを含むことができる。
【００２７】
別の態様によれば、本発明は、通信ネットワークのための通信ノードであって、該通信ノードは、
移動通信デバイスに対するページングが必要とされることを識別する手段と、
前記移動通信デバイスが以前に位置していた少なくとも１つのセルを識別する情報を入手する手段と、
前記入手された情報に基づいて、それぞれが前記移動通信デバイスを探索する少なくとも１つのセルを含む、複数の集合を画定する手段と、
前記複数の集合の各セル内の前記移動通信デバイスに対するそれぞれのページングメッセージの送信を開始するとともに、それが経過した後に前記送信が行われるべきであるそれぞれの時間を指定する手段と、
を備え、
前記それぞれの時間は、どの集合が、各ページングメッセージが送信されることになるセルを含むかに応じて指定される、通信ネットワークのための通信ノードを提供する。
【００２８】
別の態様によれば、本発明は、通信ネットワークのセル内でページングメッセージを送信するための基地局であって、前記セルは前記基地局によって運用され、該基地局は、
移動通信デバイスが前記セル内に位置するか、又は以前に位置していた場合には、通信ノードに、前記移動通信デバイスに関連する情報を提供する手段であって、前記情報は、前記セルを識別する情報と、前記セル内、及び／又は前記セル外への前記移動通信デバイスの移動、並びに前記移動通信デバイスが前記セル内に位置した時刻のうちの少なくとも１つに関連する更なる情報とを含む、提供する手段と、
前記通信ノードから、前記移動通信デバイスに対するページングメッセージのページング要求を受信する手段であって、前記ページング要求は、前記基地局によって提供される前記情報及び前記更なる情報に基づいて前記通信ノードによって送信される、要求を受信する手段と、
前記通信ノードから受信された要求に応答して、前記セル内の前記移動通信デバイスに対する関連するページングメッセージを送信する手段と、
前記通信ノードから、ページングメッセージの送信を取り消す指示を受信する手段と、
を備え、
ページングメッセージ送信を取り消す前記指示に応答して以前に要求されたページングメッセージの送信を取り消すように動作可能である、基地局を提供する。
【００２９】
前記要求を受信する手段は、前記移動通信デバイスから、前記ページングメッセージへの応答を受信するように動作可能とすることができ、前記提供する手段は、前記通信ノードに、前記移動通信デバイスから前記応答が受信されたという指示を与えるように動作可能とすることができる。
【００３１】
前記移動通信デバイスから受信される前記応答は接続要求とすることができる。
【００３２】
前記基地局によって前記移動通信デバイスから前記ページングメッセージへの応答が受信されなかった場合には、前記基地局は、
前記通信ノードに、前記移動通信デバイスから前記ページングメッセージに対する応答が受信されなかったという指示を与えるように更に動作可能とすることができる。
【００３３】
前記要求を受信する手段は、前記ページングメッセージが前記移動通信デバイスに送信されるべきである後の時間を識別する情報を受信するように動作可能とすることができ、
前記送信する手段は、前記時間後に前記関連するページングメッセージを送信するように動作可能とすることができる。
【００３５】
ページングメッセージの前記送信要求は、ダミーページングメッセージの送信要求とすることができ、前記関連するページングメッセージはダミーページングメッセージとすることができる。
【００３６】
別の態様によれば、本発明は、通信システムのための移動通信デバイスであって、前記通信システムは、通信ノードと、それぞれがセルを運用するように構成される複数の基地局と、該移動通信デバイスとを備え、
前記通信ノードは、
該移動通信デバイスに対するページングが必要とされることを識別する手段と、
該移動通信デバイスが以前に位置していた少なくとも１つのセルを識別する情報を入手するとともに、該移動通信デバイスのセル間の移動、及び該移動通信デバイスが前記少なくとも１つのセル内に位置した時刻のうちの少なくとも１つに関連する更なる情報を入手する手段と、
前記情報及び前記更なる情報に基づいて、該移動通信デバイスを探索する少なくとも１つのセルを含む集合を画定する手段と、
前記集合の各セル内の該移動通信デバイスに対するそれぞれのページングメッセージの送信を開始する手段と、
前記移動通信デバイスに対するページングメッセージに応答して、前記移動通信デバイスからページング応答が受信されたか否かを、特定の基地局から前記ページング応答が受信されたという通知を受信することにより判断する手段と、
前記ページングメッセージをまだ送信していない場合がある、前記移動通信デバイスのＴＡリスト上の他の基地局にページングキャンセルメッセージを送信する手段と、
を備え、
前記複数の基地局の各基地局は、
該移動通信デバイスが、前記基地局によって運用されるセル内に位置するか、又は以前に位置していた場合には、前記通信ノードに、該移動通信デバイスに関連する情報を提供する手段であって、前記情報は、前記基地局によって運用される前記セルを識別する情報と、前記基地局によって運用される前記セル内、及び／又は前記セル外への該移動通信デバイスの移動、並びに該移動通信デバイスが前記基地局によって運用される前記セル内に位置した時刻のうちの少なくとも１つに関連する更なる情報とを含む、提供する手段と、
前記通信ノードから、該移動通信デバイスに対するページングメッセージのページング要求を受信する手段であって、前記ページング要求は、前記基地局によって提供される前記情報及び前記更なる情報に基づいて前記通信ノードによって送信される、要求を受信する手段と、
前記通信ノードから受信された要求に応答して、前記基地局によって運用される前記セル内の前記移動通信デバイスに対する関連するページングメッセージを送信する手段と、
前記ページングメッセージをまだ送信していない場合に、前記ページングキャンセルメッセージを受信する手段と、
を備え、
該移動通信デバイスは、前記通信ノードからのページング要求に応答して、前記複数の基地局のうちの１つの基地局によって送信されたページングメッセージを受信し、接続要求を用いて前記ページングメッセージに応答するように動作可能である、通信システムのための移動通信デバイスを提供する。
【００３７】
別の態様によれば、本発明は、通信ノードと、それぞれがセルを運用するように構成される複数の基地局と、少なくとも１つの移動通信デバイスとを備える通信システムであって、
前記通信ノードは、
前記移動通信デバイスに対するページングが必要とされることを識別する手段と、
前記移動通信デバイスが以前に位置していた少なくとも１つのセルを識別する情報を入手するとともに、前記移動通信デバイスのセル間の移動、及び前記移動通信デバイスが前記少なくとも１つのセル内に位置した時刻のうちの少なくとも１つに関連する更なる情報を入手する手段と、
前記情報及び前記更なる情報に基づいて、前記移動通信デバイスを探索する少なくとも１つのセルを含む集合を画定する手段と、
前記集合の各セル内の前記移動通信デバイスに対するそれぞれのページングメッセージの送信を開始する手段と、
前記移動通信デバイスに対するページングメッセージに応答して、前記移動通信デバイスからページング応答が受信されたか否かを、特定の基地局から前記ページング応答が受信されたという通知を受信することにより判断する手段と、
前記ページングメッセージをまだ送信していない場合がある、前記移動通信デバイスのＴＡリスト上の他の基地局にページングキャンセルメッセージを送信する手段と、
を備え、
前記複数の基地局の各基地局は、
移動通信デバイスが、前記基地局によって運用されるセル内に位置するか、又は以前に位置していた場合には、前記通信ノードに、前記移動通信デバイスに関連する情報を提供する手段であって、前記情報は、前記基地局によって運用される前記セルを識別する情報と、前記基地局によって運用される前記セル内、及び／又は前記セル外への前記移動通信デバイスの移動、並びに前記移動通信デバイスが前記基地局によって運用される前記セル内に位置した時刻のうちの少なくとも１つに関連する更なる情報とを含む、提供する手段と、
前記通信ノードから、前記移動通信デバイスに対するページングメッセージのページング要求を受信する手段であって、前記ページング要求は、前記基地局によって提供される前記情報及び前記更なる情報に基づいて前記通信ノードによって送信される、要求を受信する手段と、
前記通信ノードから受信された要求に応答して、前記基地局によって運用される前記セル内の前記移動通信デバイスに対する関連するページングメッセージを送信する手段と、
前記ページングメッセージをまだ送信していない場合に、前記ページングキャンセルメッセージを受信する手段と、
を備える、通信システムを提供する。
【００３８】
別の態様によれば、本発明は、通信ネットワークのための通信ノードによって実行される方法であって、該方法は、
移動通信デバイスに対するページングが必要とされることを識別することと、
前記移動通信デバイスが以前に位置していた少なくとも１つのセルを識別する情報を入手するとともに、前記移動通信デバイスのセル間の移動、及び前記移動通信デバイスが前記少なくとも１つのセル内に位置した時刻のうちの少なくとも１つに関連する更なる情報を入手することと、
前記情報及び前記更なる情報に基づいて、前記移動通信デバイスを探索する少なくとも１つのセルを含む集合を画定することと、
前記集合の各セル内の前記移動通信デバイスに対するそれぞれのページングメッセージの送信を開始することと、
前記移動通信デバイスに対するページングメッセージに応答して、前記移動通信デバイスからページング応答が受信されたか否かを、特定の基地局から前記ページング応答が受信されたという通知を受信することにより判断することと、
前記ページングメッセージをまだ送信していない場合がある、前記移動通信デバイスのＴＡリスト上の他の基地局にページングキャンセルメッセージを送信することと、
を含む、方法を提供する。
【００３９】
別の態様によれば、本発明は、通信ネットワークのための通信ノードによって実行される方法であって、該方法は、
移動通信デバイスに対するページングが必要とされることを識別することと、
前記移動通信デバイスが以前に位置していた少なくとも１つのセルを識別する情報を入手することと、
前記入手された情報に基づいて、それぞれが前記移動通信デバイスを探索する少なくとも１つのセルを含む、複数の集合を画定することと、
前記複数の集合の各セル内の前記移動通信デバイスに対するそれぞれのページングメッセージの送信を開始し、それが経過した後に前記送信が行われるべきであるそれぞれの時間を指定することと、
を含み、
前記それぞれの時間は、どの集合が、各ページングメッセージが送信されることになるセルを含むかに応じて指定される、方法を提供する。
【００４０】
別の態様によれば、本発明は、通信ネットワークのセル内でページングメッセージを送信するように動作可能な基地局によって実行される方法であって、前記セルは前記基地局によって運用され、該方法は、
移動通信デバイスが前記セル内に位置するか、又は以前に位置していた場合には、通信ノードに、前記移動通信デバイスに関連する情報を提供することであって、前記情報は、前記セルを識別する情報と、前記セル内、及び／又は前記セル外への前記移動通信デバイスの移動、並びに前記移動通信デバイスが前記セル内に位置した時刻のうちの少なくとも１つに関連する更なる情報とを含むことと、
前記通信ノードから、前記移動通信デバイスに対するページングメッセージの送信要求を受信することであって、前記ページング要求は、前記基地局によって提供される前記情報及び前記更なる情報に基づいて前記通信ノードによって送信されることと、
前記通信ノードから受信された要求に応答して、前記セル内の前記移動通信デバイスに対する関連するページングメッセージを送信することと、
前記通信ノードから、ページングメッセージの送信を取り消す指示を受信することと、
を含む、方法を提供する。
【００４１】
本発明は、通信ノードと、それぞれがセルを運用するように構成される複数の基地局とを備える通信システムのための移動通信デバイスによって実行される方法であって、該方法は、
前記通信ノードからのページング要求に応答して前記複数の基地局のうちの１つの基地局によって送信されたページングメッセージを受信することと、
接続要求を用いて前記ページングメッセージに応答することと、
を含み、
前記通信ノードは、
前記移動通信デバイスに対するページングが必要とされることを識別するステップと、
前記移動通信デバイスが以前に位置していた少なくとも１つのセルを識別する情報を入手するとともに、前記移動通信デバイスのセル間の移動、及び前記移動通信デバイスが前記少なくとも１つのセル内に位置した時刻のうちの少なくとも１つに関連する更なる情報を入手するステップと、
前記情報及び前記更なる情報に基づいて、前記移動通信デバイスを探索する少なくとも１つのセルを含む集合を画定するステップと、
前記集合の各セル内の前記移動通信デバイスに対するそれぞれのページングメッセージの送信を開始するステップと、
前記移動通信デバイスに対するページングメッセージに応答して、前記移動通信デバイスからページング応答が受信されたか否かを、特定の基地局から前記ページング応答が受信されたという通知を受信することにより判断するステップと、
前記ページングメッセージをまだ送信していない場合がある、前記移動通信デバイスのＴＡリスト上の他の基地局にページングキャンセルメッセージを送信するステップと、
を実行し、
前記複数の基地局の各基地局は、
前記移動通信デバイスが、前記基地局によって運用されるセル内に位置するか、又は以前に位置していた場合には、前記通信ノードに、前記移動通信デバイスに関連する情報を提供するステップであって、前記情報は、前記基地局によって運用される前記セルを識別する情報と、前記基地局によって運用される前記セル内、及び／又は前記セル外への前記移動通信デバイスの移動、並びに前記移動通信デバイスが前記基地局によって運用される前記セル内に位置した時刻のうちの少なくとも１つに関連する更なる情報とを含む、ステップと、
前記通信ノードから、前記移動通信デバイスに対するページングメッセージの送信要求を受信するステップであって、前記ページング要求は、前記基地局によって提供される前記情報及び前記更なる情報に基づいて前記通信ノードによって送信される、ステップと、
前記通信ノードから受信された要求に応答して、前記基地局によって運用される前記セル内で前記移動通信デバイスに対する関連するページングメッセージを送信するステップと、
前記ページングメッセージをまだ送信していない場合に、前記ページングキャンセルメッセージを受信するステップと、
を実行する、方法を提供する。
【００４２】
別の態様によれば、本発明は、通信ノードと、それぞれがセルを運用するように構成される複数の基地局と、少なくとも１つの移動通信デバイスとを備える通信システムにおいて実行される方法であって、該方法は、
前記通信ノードにおいて、
移動通信デバイスに対するページングが必要とされることを識別することと、
前記移動通信デバイスが以前に位置していた少なくとも１つのセルを識別する情報を入手するとともに、前記移動通信デバイスのセル間の移動、及び前記移動通信デバイスが前記少なくとも１つのセル内に位置した時刻のうちの少なくとも１つに関連する更なる情報を入手することと、
前記情報及び前記更なる情報に基づいて、前記移動通信デバイスを探索する少なくとも１つのセルを含む集合を画定することと、
前記集合の各セル内で前記移動通信デバイスに対するそれぞれのページングメッセージの送信を開始することと、
前記移動通信デバイスに対するページングメッセージに応答して、前記移動通信デバイスからページング応答が受信されたか否かを、特定の基地局から前記ページング応答が受信されたという通知を受信することにより判断することと、
前記ページングメッセージをまだ送信していない場合がある、前記移動通信デバイスのＴＡリスト上の他の基地局にページングキャンセルメッセージを送信することと、
を含み、
基地局において、
前記移動通信デバイスが前記基地局によって運用されるセル内に位置するか、又は以前に位置していた場合には、通信ノードに、前記移動通信デバイスに関連する情報を提供することであって、前記情報は、前記基地局によって運用される前記セルを識別する情報と、前記基地局によって運用される前記セル内、及び／又は前記セル外への前記移動通信デバイスの移動、並びに前記移動通信デバイスが前記基地局によって運用される前記セル内に位置した時刻のうちの少なくとも１つに関連する更なる情報とを含むことと、
前記通信ノードから、前記移動通信デバイスに対するページングメッセージの送信要求を受信することであって、前記ページング要求は、前記基地局によって提供される前記情報及び前記更なる情報に基づいて前記通信ノードによって送信されることと、
前記通信ノードから受信された要求に応答して、前記基地局によって運用される前記セル内で前記移動通信デバイスに対する関連するページングメッセージを送信することと、
前記ページングメッセージをまだ送信していない場合に、前記ページングキャンセルメッセージを受信することと、
を含む、方法を提供する。
【００４３】
本発明の態様は、上記で示した、又は特許請求の範囲において記載される態様及び可能な形態において記述されるような方法を実行するようにプログラマブルプロセッサをプログラムするように、及び／又は特許請求の範囲のいずれかの請求項において記載される装置を提供するように適切に構成されたコンピューターをプログラムするように動作可能である、そこに記憶された命令を有するコンピューター可読記憶媒体のようなコンピュータープログラム製品にまで及ぶ。
【００４４】
次に、本発明の例示的な実施形態を、例として、添付の図面を参照しながら説明する。
【図面の簡単な説明】
【００４５】
【図１ａ】電気通信システムを示す概略図である。
【図１ｂ】図１ａに示される電気通信システムのための例示的な論理アーキテクチャを示す概略図である。
【図１ｃ】図１ａに示される電気通信システムのための例示的な全体アーキテクチャを示す概略図である。
【図２】２つのトラッキングエリアを形成するセルのネットワークを示す概略図である。
【図３】図１ａの電気通信システムのＵＥの主要構成要素を示す概略図である。
【図４】図１ａの電気通信システムのホーム基地局の主要構成要素を示すブロック図である。
【図５】図１ａの電気通信システムのホーム基地局ゲートウェイの主要構成要素を示すブロック図である。
【図６】例示的な実施形態による方法を示す流れ図である。
【図７】別の例示的な実施形態による方法を示す流れ図である。
【図８ａ】更なる例示的な実施形態による方法を示す流れ図である。
【図８ｂ】更なる例示的な実施形態による方法を示す流れ図である。
【発明を実施するための形態】
【００４６】
当業者が効率的に理解するために、本発明の実施形態及び実施態様は３Ｇシステム（ＵＭＴＳ、ＬＴＥ）との関連で詳細に説明されることになるが、本発明の原理は、システムの対応する要素を必要に応じて変更して、移動デバイス又はユーザー機器（ＵＥ）が幾つかの基地局のうちの１つと通信する他のシステム（ＷｉＭＡＸ等）にも適用することができる。
【００４７】
概説
図１ａは、移動（セルラー）電気通信システム１−１を概略的に示しており、ユーザー機器（ＵＥ）（移動電話又は他の移動通信デバイス等）３−１〜３−４のユーザーが、異なるアクセスノードを介して他のユーザーと通信することができる。詳細には、ＵＥ３は、ユニバーサル地上無線アクセスネットワーク（ＵＴＲＡＮ）「マクロ」基地局５−１及び関連する無線ネットワークコントローラー（ＲＮＣ）７を介して、又は発展型ＵＴＲＡＮ（Ｅ−ＵＴＲＡＮ）基地局５−２を介して、移動電話コアネットワーク８と直接接続することができる。具体的には、ＵＥ３−３が、Ｅ−ＵＴＲＡＮ「マクロ」基地局５−２によって運用されるセル９−３内に位置し、それゆえ、Ｅ−ＵＴＲＡＮ基地局５−２を介してコアネットワーク８に接続することができる。ＵＥ３−４が、ＵＴＲＡＮ基地局５−１によって運用されるセル９−４内に位置し、それゆえ、ＵＴＲＡＮ基地局５−１を介してコアネットワーク８に接続することができる。ＵＥ３は、「ホーム」基地局（ＨＮＢ）を用いて、移動電話コア電話ネットワーク８に接続することもできる。この実施形態では、ホーム基地局はＬＴＥ基地局（ＨｅＮＢ）であり、ゲートウェイＨｅＮＢ  ＧＷ１３によって、移動電話コアネットワーク８に結合される。ＨｅＮＢ１１−１は、ＵＥ３−１が位置するフェムトセル９−１を運用し、それゆえ、ＵＥ３−１は、ＨｅＮＢ１１−１を介してコアネットワーク８に接続することができる。ＨｅＮＢ１１−２は、ＵＥ３−２が位置するフェムトセル９−２を運用し、それゆえ、ＵＥ３−２は、ＨｅＮＢ１１−２を介してコアネットワーク８に接続することができる。
【００４８】
コアネットワーク８内のモビリティ管理エンティティ（ＭＭＥ）１０が、各ＵＥ３を追跡するための情報を保持し、接続が必要とされるときにＵＥのページングを制御する。また、ＭＭＥ１０は、通信ベアラの起動及び停止と、ＵＥ３がネットワークに最初にアタッチするときの、及びコアネットワーク（ＣＮ）ノードリロケーションを伴うハンドオーバー中の、ＵＥ３のためのサービングゲートウェイＳ−ＧＷ１２の選択とに関与する。Ｓ−ＧＷ１２は、ユーザーデータパケットをルーティングし、転送するように構成される。
【００４９】
図１ａの例では、ＨｅＮＢがプリプログラミングされたセキュリティゲートウェイに最初に接続するように、ＨｅＮＢはコアネットワーク８内のセキュリティゲートウェイ（図示せず）のＩＰアドレスをプログラミングされる。コアネットワーク８内のドメインネームサーバ（ＤＮＳ）（図示せず）が、各ＨｅＮＢ１１に、ＨｅＮＢ  ＧＷ１３との通信においてＨｅＮＢ１１が使用するＩＰアドレスを割り当てる。
【００５０】
この実施形態において、説明を簡単にするために、各ＵＥ３が一度に１つの基地局５又はホーム基地局１１だけと通信すると仮定されるが、展開されるシステムでは、ＵＥ３は、接続モードに留まりながら、幾つかの基地局又はホーム基地局と通信する場合がある。簡単にするために、図１ａには、限られた数のマクロ基地局５及びホーム基地局１１、並びに関連するマクロセル又はフェムトセル９しか示されないが、通信システム１−１は、例えば、図２に示されるように、任意の数の基地局及び／又は任意の数の関連するセル９を備えることができることは理解されよう。
【００５１】
図１ｂにおいて、図１ａに示される通信システムのための例示的な論理アーキテクチャの概略図が全体として１−２において示される。図示されるように、ＨｅＮＢ１１は、１組のＳ１インターフェースＳ１−ＭＭＥ６−１及びＳ１−Ｕ６−２を介してコアネットワーク８に接続され、この例では、コアネットワークは発展型パケットコア（ＥＰＣ）８として示される。Ｓ１−ＭＭＥインターフェース６−１は、ＨｅＮＢ  ＧＷ１３を介して、ＨｅＮＢ１１とコアネットワーク８のＭＭＥ１０との間で、制御データを含む、制御プレーン（Ｃ−プレーン）トラフィックを搬送する。Ｓ１−Ｕインターフェース６−２は、ＨｅＮＢ１１とコアネットワーク８との間で、ユーザーデータを含む、ユーザープレーン（Ｕ−プレーン）トラフィックを搬送し、この例では、Ｓ１−Ｕインターフェース６−２は、ＨｅＮＢ１１と、コアネットワーク８のＳ−ＧＷ１２との間の直接論理Ｕ−プレーン接続を提供する。図示されるように、Ｓ１インターフェース６は、ＨｅＮＢ  ＧＷ１３とコアネットワーク８との間のインターフェース、ＨｅＮＢ１１とＨｅＮＢ  ＧＷ１３との間のインターフェース、及びＨｅＮＢ１１とコアネットワーク８との間のインターフェースを提供することができる。
【００５２】
ＨｅＮＢ  ＧＷ１３は、コアネットワーク８への任意の数のＨｅＮＢのための接続を提供することができる。
【００５３】
図１ｃにおいて、図１ａに示される通信システムのための例示的な全体アーキテクチャの概略図が全体として１−３において示される。図示されるように、Ｅ−ＵＴＲＡＮ「マクロ」基地局（ｅＮＢ）５−３〜５−５が、Ｓ１インターフェース６を介して、ＭＭＥ１０及びＳ−ＧＷ１２に接続される。ＨｅＮＢ１１−３〜１１−５もＳ１インターフェース６を介してＭＭＥ１０及びＳ−ＧＷ１２に接続されるが、ＨｅＮＢ１１は、ＭＭＥ１０及びＳ−ＧＷ１２に直接接続される場合があるか、又はＨｅＮＢ  ＧＷ１３を介して接続される場合がある。ｅＮＢ５は、Ｘ２インターフェース１３０を介して互いに通信するように構成される。
【００５４】
図２は、図１ａに示されるような通信システムの一部を形成する複数のセルを示す。各セルは、六角形エリアとして表され、それぞれの群（又はセルの「トラッキングエリア」（ＴＡ））の一部を形成する。具体的には、図２に示されるセルは、２つの群：トラッキングエリア１（ＴＡ１）及びトラッキングエリア２（ＴＡ２）を形成する。この実施形態では、セルはＬＴＥフェムトセル９であり、それゆえ、各セル９はＨｅＮＢ１１によって運用され、さらにＨｅＮＢ１１は少なくとも１つのＨｅＮＢ  ＧＷ１３によって制御されるが、展開されるシステムでは、各ＴＡはマクロセル及び／又はフェムトセル９が混在したものを備えることができることは理解されよう。ＵＥ３がアイドルモードにあるとき、ＭＭＥ１０は、トラッキングエリアの粒度においてＵＥ３の位置を識別する情報を保持するが、ＵＥが任意の特定の時刻にトラッキングエリアのどのセルに位置するかを正確に識別するだけの十分な情報を保持しない。
【００５５】
都合の良いことに、本発明によれば、ＵＥ３との通信を確立するために、ページング要求が、ＵＥ３に関連付けられ、ＭＭＥ１０において保持されるＴＡリスト上に存在するＴＡ（複数の場合もある）の全てのセルに必ずしも送信されるのではなく、ページングされるＵＥ３に関連する、履歴情報のような情報に基づいて動的に画定される１組のセルに送信される。図２に示される例では、ページング要求は最初に、適切なＨｅＮＢゲートウェイ（複数の場合もある）１３から、動的に画定された初期ページングエリア（ＩＰＡ）２０１内のセルを運用する各ＨｅＮＢ１１に送信される。初期ページングエリア（ＩＰＡ）２０１は、セルＩＰＡ−１〜ＩＰＡ−４を含み、この例では、トラッキングエリアＴＡ１のセルのサブセットを形成する。ＨｅＮＢ  ＧＷ１３からページング要求を受信するのに応答して、ＩＰＡ内のセル９のＨｅＮＢ１１は、自らが運用するＩＰＡの各セル内のＵＥ３に対して対応するページングメッセージを送信することになる。
【００５６】
ページングされたＵＥ３から応答が受信された場合には、ＨｅＮＢ  ＧＷ１３によるページング要求及びＨｅＮＢ１１によるページングメッセージの送信が中止される。それゆえ、この例では、まだページングメッセージを送信していない任意のＨｅＮＢ１１がページングメッセージを送信する必要がなくなるので、シグナリングオーバーヘッドの使用が最小化される。例えば、ＵＥからの応答がセルＩＰＡ−１によって受信された場合には、ＩＰＡの４つのセルのみがページングメッセージを送信しており、残りのセル内のシグナリングオーバーヘッドは最小化される。
【００５７】
その後、ＩＰＡにおいて送信されたページングメッセージに対する応答が受信されない場合には、適切なＨｅＮＢゲートウェイ（複数の場合もある）１３から、後続のページングエリア内のセルを運用する各ＨｅＮＢ１１にページング要求が送信され、この後続のページングエリアは、ＵＥ関連情報に基づいて動的に画定され、この例では、セルＳＰＡ−１〜ＳＰＡ−１０によって形成される二次ページングエリア（ＳＰＡ）２０３を含む。最後に、ＳＰＡ内で送信されたページングメッセージへの応答が受信されない場合には、適切なＨｅＮＢゲートウェイ（複数の場合もある）１３から、更なるページングエリア内のセルを運用する各ＨｅＮＢ１１にページング要求が送信され、更なるページングエリアは、同じくＵＥ関連情報に基づいて動的に画定され、この例では、セルＴＰＡ−１〜ＴＰＡ−４を含む三次ページングエリア（ＴＰＡ）２０５を含む。
【００５８】
ページングエリアを動的に画定するときに基にするＵＥ関連情報は通常、ページングエリアのセルにおいてＵＥからの応答を受信する可能性を最大にするために、ＵＥの位置に関連する情報、例えば、ＵＥが直前に接続されたセルを含む。有益なことに、ページングエリアを動的に画定するときに基にするＵＥ関連情報は、ＨｅＮＢ  ＧＷ１３によって得られた付加情報も含むことができる。後に更に詳細に説明されるように、付加情報は、例えば、以下の情報の任意の組み合わせを含むことができる。
（ａ）ＵＥがこれまでに位置していたセルを識別する情報及び／又はそれらのセル内にＵＥが位置した時刻に関連する履歴的タイミング情報のような、ＴＡ（複数の場合もある）のセル間のＵＥ３の移動に関連する情報（ＵＥ「モビリティ」情報と呼ばれる）、
（ｂ）現在のページング要求／メッセージが送信される時刻を識別する情報のような更なるタイミング情報、
（ｃ）ＵＥがこれまでに位置していた１つ又は複数のセルに地理的に近接しているセルに関連する隣接セル情報、
（ｄ）ＵＥによる関連する非接続への応答（又は応答がないこと）の結果として得られる、ＵＥに関連する「ダミーページング」情報、又はＵＥが特定のセル若しくはセル群内にあるか否かを確認するために送信される「ダミー」ページングメッセージ、及び／又は
（ｅ）他の同様の情報。
【００５９】
ページングエリアを画定するときにそのような付加情報を用いることは、ページングエリアの動的な画定が、ＵＥが位置する可能性が高いターゲットセルに対してより正確に、より効率的に実行できることを意味する。
【００６０】
ユーザー機器
図３は図１ａに示されるＵＥ３の主要構成要素を概略的に示す。図３に示されるように、各ＵＥ３は１つ又は複数のアンテナ７３を介して、基地局５又は１１との間で信号を送受信する送受信機回路７１を含む。図示されるように、ＵＥ３は、ＵＥ３の動作を制御するコントローラー７５も含む。コントローラー７５は、送受信機回路７１に、かつこの例では、スピーカー７７、マイクロフォン７９、ディスプレイ８１及びキーパッド８３を有するユーザーインターフェースに接続される。コントローラー７５は、メモリ８５内に記憶されるソフトウェア命令に従って動作する。図示されるように、これらのソフトウェア命令は、数ある中でも、ＨｅＮＢを介してのＲＲＣ接続の確立を制御するためのＲＲＣ接続モジュール９１とともに、オペレーティングシステム８７と、ＨｅＮＢから受信されたページングメッセージを処理し、そのようなメッセージへの応答を制御するためのページングモジュール８９とを含む。
【００６１】
ホーム基地局
図４は、ＨｅＮＢ基地局１１の主要構成要素を示すブロック図を示す。図４に示されるように、各ＨｅＮＢ１１は、１つ又は複数のアンテナ２３を介してＵＥ３との間で信号を送受信し、かつネットワークインターフェース２５を介して（例えば、ＨｅＮＢ  ＧＷ１３を介して）電話網と間で信号を送受信する送受信機回路２１を備える。送受信機回路２１は、メモリ２９に記憶されるソフトウェアに従ってコントローラー２７によって制御される。ソフトウェアは、数ある中でも、オペレーティングシステム３１及びページングモジュール３２を含む。
【００６２】
ページングモジュール３２は、ネットワークから（例えば、ＨｅＮＢ  ＧＷ１３から）のページング要求を処理し、ＨｅＮＢ１１が運用するセル（複数の場合もある）内の関連するページング要求の送信を管理する。具体的には、ページングモジュールは、ＨｅＮＢ  ＧＷ１３から受信されたページング要求を処理するためのページング要求モジュール３３と、ＵＥ３に対するページングメッセージの生成及び送信を制御するためのページングメッセージモジュール３４と、ＨｅＮＢ  ＧＷ１３から受信された遅延パラメーターを処理するための遅延パラメーターモジュール３５と、ダミーページングメッセージの送信、及びＵＥ３による結果として生じる任意の接続試行の拒否を制御するためのダミーページングモジュール３６とを備える。
【００６３】
ホーム基地局ゲートウェイ
図５は、図１ａに示されるようなＨｅＮＢゲートウェイ（ＧＷ）１３の主要構成要素を概略的に示す。ＨｅＮＢ  ＧＷは、１つ又は複数のＨｅＮＢとの間で信号を送受信するためのＨｅＮＢインターフェース５０１と、ブロードバンドアクセスネットワーク１５及びコアネットワーク８との間で信号を送受信するためのネットワークインターフェース５０５とを備える。コントローラー５０３が、ＨｅＮＢ  ＧＷ１３の全体的な機能を制御するとともに、ＨｅＮＢインターフェース５０１及びネットワークインターフェース５０５の動作を制御する。コントローラー５０３は、メモリ５０６に記憶されるソフトウェア命令に従って動作する。図示されるように、これらのソフトウェア命令は、オペレーティングシステム５０７及びページングモジュール５０８を含む。
【００６４】
ページングモジュール５０８は、ページング要求の（例えば、ＨｅＮＢ１１への）送信と、ページングメッセージが送信されることになるページングエリア（複数の場合もある）の画定とを管理する。具体的には、ページングモジュールは、例えば、初期ページングエリア（ＩＰＡ）のようなページングエリアを形成するセルを選択する際に用いるための位置及び／又は上記の他のタイプの情報を含む、ページングエリアを画定するときに基にするＵＥ関連情報を入手し、保持するためのページング情報モジュール５０９を含む。ページング情報モジュールはこの情報を、ＵＥ関連情報に基づいて１つ又は複数のページングエリアを画定するためのページングエリア画定モジュール５０１に渡す。
【００６５】
また、ページングモジュール５０８は、ページングエリア画定モジュール５１１によって画定されたページングエリア（複数の場合もある）に従ってＨｅＮＢ  ＧＷからＨｅＮＢへのページング要求の生成及び送信を制御するためのページング要求モジュール５１３も含む。さらに、ページングモジュール５０８は、ＨｅＮＢによってページング応答が受信されたという通知をＨｅＮＢから受信し、後に更に詳細に説明されるように、ページングキャンセルメッセージの生成及び送信のような、そのような通知への応答を制御するためのページング応答受信モジュール５１５も含む。
【００６６】
ページングモジュール５０８は、ＨｅＮＢが特定の要求されたページングメッセージを送信すべき遅延を設定するための１つ又は複数の適切な遅延パラメーターを規定するための遅延パラメーターモジュール５１７を更に含む。
【００６７】
ページングモジュール５０８は、後に更に詳細に説明されるように、１つ又は複数のＨｅＮＢ１３によって実行されることになるダミーページングを構成し、ダミーページング情報を受信するためのダミーページングモジュール５１９を更に含む。
【００６８】
マルチステップページング
図６は、一実施形態による、特定のＵＥとの通信を確立するためにＨｅＮＢ  ＧＷによって実行されるマルチステップページング方法を示す流れ図である。
【００６９】
その方法は、特定のＵＥ３に対するページングが必要とされると判断されるときに、ステップ６０３において開始する。ステップ６０５において、ＨｅＮＢ  ＧＷ１３は、ＨｅＮＢ  ＧＷ１３がページングエリアのためのセルの選択を最適化できるようにする付加情報とともに、ＵＥの位置に関連する情報を入手する。
【００７０】
先に説明されたように、ＵＥ関連情報は、ＵＥが以前に位置したセル、例えば、ＵＥがページングに以前に応答したセル及び／又はＵＥが直前にＲＲＣ接続を有していたセルを識別する位置情報を含む。位置情報は、セルを識別する情報、例えば、セルのセルＩＤを含む。また、位置情報は、ＵＥの粗い、ネットワークに基づく（例えば、近隣の基地局と通信するＵＥを介して決定される）位置、及び／又は全地球測位システム（ＧＰＳ）によって導出される地理的な位置情報のような衛星測位情報のような、地理的位置情報も含む。
【００７１】
この実施形態では、ページングエリアを画定するためにＨｅＮＢ  ＧＷ１３によって用いられるＵＥ位置情報は、ＨｅＮＢ  ＧＷ１３が通信することができ、かつＨｅＮＢ  ＧＷ１３がメモリに記憶したＨｅＮＢ１１のうちの１つ又は複数から、ＨｅＮＢ  ＧＷ１３が以前に受信したＵＥ位置情報を含む。記憶されたＵＥ位置情報は、ＨｅＮＢ  ＧＷ１３が特定のＵＥに関連付けられる位置情報を識別できるようにするために、Ｓ−一時移動加入者識別情報（Ｓ−ＴＭＳＩ）のようなＵＥ識別子に関連付けられる。オプションでは、記憶されたＵＥ位置は、ＵＥによって行われた直前のＲＲＣ接続のためのタイムスタンプのような時間情報にも関連付けられる。
【００７２】
この実施形態では、ＨｅＮＢ  ＧＷ１３は、付加情報と、ＵＥが以前に位置したセルを識別するＵＥ位置情報とを入手する。
【００７３】
付加情報は更に、直前のＲＲＣ接続又は直前のページング応答以前のＵＥの位置に関する詳細を与える（例えば、接続モードにあるときにＵＥが存在していた場所を識別する）、履歴的ＵＥ位置情報を含む場合がある。履歴的ＵＥ位置情報は、ＵＥのセル間のセル移動、それゆえ、ＵＥのモビリティのレベル（例えば、ＵＥが高いモビリティを有する（例えば、セル間を相対的に高速で移動している）か、又は低いモビリティを有する（例えば、セル間を相対的に低速で移動している、若しくは移動していない）か）を実質的に示す。ページングエリアを画定するときに、そのような履歴情報を用いることは、その履歴情報によって、ＵＥの今後の移動に関する予測を行うことができるようになるので特に有益である。例えば、この１時間にわたって、ＵＥが隣接するセルからなる小さな群の中を動き回っていた場合、例えば、ＵＥのユーザーが百貨店内を歩き回っている場合には、ＵＥは小さなセル群内にとどまっていたか、又は小さなセル群から離れるほど動いていない確率がかなり高い。
【００７４】
付加情報は、都合の良いことに、ＵＥの地理的移動及び／又はセル移動に基づいてＵＥモビリティのレベルを識別する際に用いるための更なるモビリティ関連情報を含む場合もある。更なるモビリティ関連情報は、モビリティイベントが発生したという指示、例えば、接続モード時に、ＨｅＮＢ又は他の通信ノードによって特定のＳ１−ＡＰメッセージが受信されたことから導出される場合がある。これらのメッセージは、例えば、要ハンドオーバーメッセージ、パス切替メッセージ、ＵＥコンテキスト設定メッセージ及び／又はＵＥコンテキスト解放メッセージのような、ＵＥのセル間の移動を示すメッセージを含む場合がある。そのようなタイプのメッセージから、ＨｅＮＢ  ＧＷ１３は、ＵＥに関するモビリティ関連情報を導出し、経時的に履歴的モビリティ情報を保持することができる。例えば、短時間に多数の要ハンドオーバーメッセージが受信されることは、ＵＥが高速で移動していることを示す。この場合、ＵＥは、高速移動しているユーザーによって通話のために使用されている移動電話である可能性がある。この状況では、ＵＥは、高速で移動しており、１つのセルから出て、別のセルに入るので頻繁にハンドオーバーを受けている。
【００７５】
ＵＥがアイドルモードにあるとき、ＵＥは、ＵＥが位置したセル又はトラッキングエリアのような、アイドルモードモビリティについての情報を記憶し、移動ネットワークに接続されると、ＵＥは測定報告（例えば、記録されたドライブテスト最小化（ＭＤＴ：Minimisation of Drive Tests）報告）においてこの情報を与える。このアイドルモードモビリティ関連情報は、ＨｅＮＢ１１とＨｅＮＢ  ＧＷ１３との間のＳ１インターフェースに関するメッセージにおいて、ＨｅＮＢ  ＧＷ１３に送信される場合がある。それに加えて、又はその代わりに、ＨｅＮＢ  ＧＷ１３は、ＴＣＥ（トレース制御エンティティ）からその情報を検索することができる。
【００７６】
ＨｅＮＢ  ＧＷ１３によって入手された付加情報は、タイミング情報を含む場合もある。例えば、タイミング情報は、ＵＥの直前のＲＲＣ接続後に経過した時間を含む場合がある。一実施形態では、ＵＥ３に対するＲＲＣ接続が解放された場合、ＨｅＮＢ  ＧＷ１３は、動作及び保守（Ｏ＆Ｍ：Operations and Maintenance）構成タイマを開始する。そのタイマは、特定のＵＥ３を識別する情報と、直前のＵＥ  ＲＲＣ接続が発生したセルを識別する情報とに関連付けられる。ＨｅＮＢ  ＧＷ１３が（例えば、ＵＥとの通信を確立するために）ページング手順を開始するとき、ページングエリア内にそのタイマに関連付けられるセルを含むか否かを判断するときに、タイマ値が用いられる。例えば、タイマ値が第１のしきい値未満である場合、ＨｅＮＢ  ＧＷ１３は初期ページングエリア内にそのセルを含むことになる。タイマの値が第１のしきい値より大きい場合には、そのセルは、代わりに、後続のページングエリアに含まれる場合がある。
【００７７】
タイミング情報は、ＨｅＮＢ  ＧＷ１３によってページング手順が開始される時刻若しくはＨｅＮＢ１１によってページング要求が送信されることになる時刻（例えば、現地時刻、及び日付又は曜日（場合によっては、時：分：秒の形式による）に関連する）、及び／又はＵＥから応答が受信される時刻を識別する情報を含む場合がある。時刻及び日付のような、このタイミング情報を入手することは、そのような要因がＵＥの位置及びモビリティをもたらす可能性があるので好都合である。例えば、勤務時間中及び夜間は、低いモビリティを仮定することができる。
【００７８】
ステップ６０９において、ＨｅＮＢ  ＧＷ１３は、ＵＥ位置情報及び付加情報に基づいてページングエリアを画定する。例えば、ＵＥの過去のモビリティに基づいて選択された１組の隣接する（又は近隣の）セルとともに、ＵＥとのＲＲＣ接続が最後に確立されたセルを含む、初期ページングエリアを画定することができる。例えば、ＵＥが低いモビリティ状態にあった場合には、直前のＲＲＣ接続（又はページング応答）セルに直接隣り合うセルのみがページングエリアのために選択されるのに対して、ＵＥが高いモビリティ状態にあった場合には、直前のＲＲＣ接続（又はページング応答）セルから更に離れたセルが選択される。
【００７９】
ステップ６１１において、ＨｅＮＢ  ＧＷ１３は、ページングエリアのために選択されたセルを運用する各ＨｅＮＢにページング要求を送信する。結果として、各ＨｅＮＢは、そのＵＥに対してページングメッセージを送信することになり、応答が受信された場合には、ＨｅＮＢは、ＨｅＮＢ  ＧＷ１３に通知することになる。ステップ６１３において、ＨｅＮＢ１１によって、ＵＥ３から応答が受信されたと判断される場合には、ＵＥ３がそのＨｅＮＢ１１によって運用されるセル内に位置すると推測され、ステップ６１５において、更なるページング要求は送信されず、その方法はステップ６２１において終了する。ＩＰＡのＨｅＮＢのいずれによっても応答が受信されない場合には、その方法はステップ６１７に進み、ＵＥ３のＴＡリスト内に、ページング要求がまだ送信されていない任意の更なるセルが存在するか否かが判断される。更なるセルが存在しない場合には、そのプロセスはステップ６２１において終了する。更なるセルが存在する場合には、ステップ６１９において、そのＴＡリストから、ページング要求がまだ送信されていないセルを選択することによって、後続のページングエリアが画定される。この選択は、ＵＥ位置情報及び付加情報を用いて行われる。
【００８０】
後続のページングエリアは、図２に示されるように、ページング要求がまだ送信されていないセルのサブセットとすることができる。代替的には、後続のページングエリアは、ページング要求がまだ送信されていないセルの全てを含むことができる。後続のページングエリアが画定された後に、その方法はステップ６１１に進み、ＨｅＮＢ  ＧＷ１３が、後続のページングエリア内の全てのＨｅＮＢ１１にページング要求を送信する。その後、その方法は上記のように進み、応答が受信されるか、又はＴＡリスト内にページング要求がまだ送信されていない更なるセルが存在しなくなるまで、フローチャートステップに従って継続する。
【００８１】
マルチステップページングの方法は、ページング要求を、初期ページングエリアのセルのようなセルのサブセットにのみ送信できるようにし、それゆえ、ＴＡリスト内に存在する全てのセルにおいてページングを開始するのに比べて、使用する全体のシグナリングオーバーヘッドを少なくすることができるので好都合である。また、ページングエリアを画定する際にＵＥ位置情報及び付加情報を使用することは、最後のＲＲＣ接続の位置のような、１つのタイプの情報しか用いられなかった場合より、ＵＥがページングエリア内に存在する確率が高いことを意味する。これは、無線リソースの使用を最小化し、ネットワーク内の無線干渉の発生を低減する。
【００８２】
ページングエリア（初期エリア及び後続エリア）は動的であり、それゆえ、作成／更新時に入手可能なＵＥ情報を用いて、ＨｅＮＢによっていつでも作成し、更新することができる。当業者には理解されるように、ＵＥ位置情報及び付加情報を用いてページングエリアを画定することは、ＵＥ位置情報だけを用いる場合よりも自由度が高い。２つのＵＥが最後に同じセル内でＲＲＣ接続を有した場合であっても、その履歴的な位置情報及び付加情報が異なる場合があるので、２つのＵＥのそれぞれに対して画定される初期ページングエリアは必ずしも同じにはならない。例えば、一方のＵＥが高速で移動しており、他方のＵＥが静止していた場合には、高速で移動しているＵＥに対する初期ページングエリアの方が大きいであろう。特定の方向に移動していると判断されるＵＥの場合、移動方向に対して垂直な方向より、ＵＥが移動している方向において長い距離にわたって延在するページングエリアが画定される場合がある。
【００８３】
本発明者らは、ＵＥが高いモビリティ状態にある状況では、単一ステップページングを使用する（ＴＡの全てのセルに実質的に同時にページングする）ことが好ましい場合があることを確認した。これは、ＵＥが高いモビリティ状態にあるとき、ＵＥを含む確率が十分に高いＩＰＡを画定するのが難しいためである。また、ＩＰＡが、トラッキングエリア自体の大きさに匹敵するほど大きくなければならない場合がある。それゆえ、更なる実施形態として、ＨｅＮＢ  ＧＷは、上記のＵＥモビリティ情報を用いて、ＵＥが高いモビリティ状態にあるか否かを判断することができる。ＵＥが高いモビリティ状態にある場合には、ＨｅＮＢ  ＧＷは、単一ステップページングを用いることになる。ＵＥが高いモビリティ状態にない場合には、ＨｅＮＢ  ＧＷは、マルチステップページングを用いることになる。
【００８４】
遅延を有するページングを使用する
図７は、ＵＥのＴＡリスト内のセルごとに、ＨｅＮＢ  ＧＷ１３によって規定されたそれぞれの時間（「遅延」）後にページングメッセージが送信されるように、ＨｅＮＢ  ＧＷ１３がＨｅＮＢ１１によるページングメッセージの送信を開始する例示的な実施形態を示す流れ図である。その遅延は、０秒から任意の規定された時間（通常、数十ミリ秒から数百ミリ秒程度）に及ぶ場合がある。ＨｅＮＢ  ＧＷ１３は、ＴＡ内のセルごとの時間を識別する遅延パラメーターを含むページング要求を、そのセルを運用するＨｅＮＢ１１に送信することによって、これを果たす。
【００８５】
ＵＥのＴＡリスト内にｎ個のセルが存在し、かつ各セルが別々のＨｅＮＢ１１によって運用されると仮定される、この例の場合、ＨｅＮＢ  ＧＷ１３は、図示されるように、ｎ個の各ＨｅＮＢ１１にページング要求を送信するように構成される。図７は、ｎ個のページング要求、７０３−１〜７０３−ｎがｎ個の基地局ＨｅＮＢ−１〜ＨｅＮＢ−ｎに送信されることを示す。各ページング要求７０３は、ＨｅＮＢ１１がページング要求７０３を受信する時点と、ＨｅＮＢ１１がステップ７０５において関連するページングメッセージを送信する時点との間の遅延を決定する遅延パラメーターを含む。この例では、ＨｅＮＢ１１が対応するページングメッセージを必ずしも同時に送信しないという事実にもかかわらず、全てのページングメッセージ７０３がＨｅＮＢ  ＧＷ１３からＨｅＮＢ１１に実質的に同時に送信されることに留意されたい。
【００８６】
ステップ７０７において、各ＨｅＮＢ１１は、遅延パラメーターに応じて、ＵＥに対するページングメッセージを送信する。例えば、遅延パラメーターが０に設定される場合には、実質的に、ＨｅＮＢ  ＧＷ１３からページング要求及び遅延パラメーターを受信した直後に、又は少なくとも遅延を加えることなく、ＨｅＮＢ１１によってページングメッセージが送信されることになる。遅延パラメーターが指定された値、例えば、５０ｍｓに設定される場合には、受信するＨｅＮＢは、対応する遅延（例えば、５０ｍｓ）後にページングメッセージを送信し始めることになる。
【００８７】
ステップ７０９において、ＨｅＮＢ−１が、ＵＥ３からページング応答を受信し、ＲＲＣ接続確立が生じる。ステップ７１１において、ＨｅＮＢ−１がＨｅＮＢ  ＧＷ１３に、ＵＥ３からの応答が受信されたことを示すメッセージを送信する。それゆえ、ＨｅＮＢ  ＧＷ１３は、ＵＥがＨｅＮＢ−１によってサービングされるセル内に位置すると推測することができる。その後、ステップ７１３において、ＨｅＮＢ  ＧＷ１３は、ページングメッセージをまだ送信していない場合がある、ＵＥのＴＡリスト上のＨｅＮＢ１１にページングキャンセルメッセージを送信する。それゆえ、ページングキャンセルメッセージを用いて、ページングメッセージの任意の更なるブロードキャストを取り消し、それゆえ、シグナリング負荷を低減する。この例では、ＨｅＮＢ  ＧＷがページング要求メッセージを送信してから５０ｍｓ未満で、ＨｅＮＢ  ＧＷがＨｅＮＢ−１からページング応答受信メッセージを受信する場合には、ＨｅＮＢ−ｎは、ＨｅＮＢ  ＧＷ１３がページング応答受信メッセージを受信する時点でページングメッセージを送信していないことになり、それゆえ、ＨｅＮＢ  ＧＷ１３はＨｅＮＢ−ｎにページングキャンセルメッセージを送信することになる。
【００８８】
有益なことに、ＨｅＮＢ  ＧＷ１３は、上記で（例えば、図１、図２及び／又は図６を参照しながら）説明されたように、ＵＥ位置関連情報及び付加情報に基づいて初期ページングエリア及び任意の後続のページングエリアを画定する。ＨｅＮＢ  ＧＷ１３は、初期ページングエリアのセル内で送信されるページングメッセージが、後続のページングエリアのセル内で送信されるページングメッセージより短い遅延（例えば、０遅延）で送信されるように、ＴＡのセルごとにそれぞれの遅延パラメーターを設定する。
【００８９】
それゆえ、入手された情報に基づいてＵＥを見つける確率が高い場合、０（又は短い遅延時間）の遅延パラメーターが用いられることになる。ＨｅＮＢ  ＧＷ１３によって入手されたＵＥ位置情報及び付加情報に基づいて、中でＵＥを見つける確率が低いＨｅＮＢ／セルほど、長い時間を指定する遅延パラメーターを用いることができる。都合の良いことに、これは、ＨｅＮＢ  ＧＷ１３がページング応答受信メッセージを受信する時点で、ＴＡリスト内の全てのセルがページングメッセージを送信しているとは限らない可能性が高いことを意味する。
【００９０】
遅延パラメーターを有するページングを用いる上記の方法は、上記のようにＵＥ位置情報及び付加情報に基づいてページングエリアを画定する方法とともに用いることができることは理解されよう。そのような実施形態では、ＵＥのＴＡリストからセルを選択することによって、１つ又は複数のページングエリアがＨｅＮＢによって画定される。ＨｅＮＢは、セルが含まれるページングエリアに基づいて、そのセルに送信されることになる遅延パラメーターを選択する。一般的に、初期ページングエリア内のセルは、０又は非常に短い遅延時間を有することになり、一方、後続の各ページングエリアのセルは徐々に長くなる遅延時間を有することになる。
【００９１】
ＨｅＮＢにおけるダミーページングの使用
図８ａ及び図８ｂは、ＨｅＮＢ  ＧＷ１３に特定のセル内のＵＥの存否に関する情報を与えるために、ダミーページングを使用する別の実施形態を示す。ダミーページングメッセージは、ＲＲＣ接続のようなＨｅＮＢとの接続を以前に確立していたＵＥに対して、ＨｅＮＢによって定期的に送信される。ダミーページングメッセージを送信するための周期のようなダミーページングパラメーターは運用＆保守（Ｏ＆Ｍ）エンティティによって構成することができる。
【００９２】
図８ａのステップ８０１において、ＵＥがＨｅＮＢ−１を介してＲＲＣ接続を有する。ＲＲＣ接続が終了した後に、その方法はステップ８０３に続く。ステップ８０３において、ＨｅＮＢ−１は、ＵＥにダミーページングメッセージを送信するように構成される。ステップ８０５において、ＵＥがダミーページングメッセージに応答する場合には、ステップ８０７において、ＨｅＮＢ−１は、そのセル内のＵＥの存在についてＨｅＮＢ  ＧＷに通知し、ステップ８０９において、ＵＥにＲＲＣ接続拒否メッセージを送信することになる。結果として、ＵＥ３とのＲＲＣ接続は確立されないが、ＨｅＮＢ  ＧＷ１３は、ＨｅＮＢ−１のセル内にＵＥが位置することを知る。ＨｅＮＢは、定期的な間隔でＵＥ３に対するダミーページングメッセージの送信を繰り返すように構成される。ＨｅＮＢ１１は、ＵＥ３からもはや応答が受信されなくなるまで、又はＨｅＮＢ１１とのＵＥのＲＲＣ接続が終了してから、若しくはＵＥ３から最後の応答が受信されてから所定の時間にわたって、ダミーページングメッセージを送信し続けるように構成される。
【００９３】
しかしながら、図８ｂのステップ８１１では、ＵＥ３からの応答がＨｅＮＢ−１によって受信されない。ステップ８１３において、ＨｅＮＢ−１は、ＵＥ３がそのセル内に存在しないことをＨｅＮＢ  ＧＷ１３に通知することになり、結果として、ＨｅＮＢ  ＧＷ１３は、ステップ８１５において、他のセル内でダミーページングを実行できると判断する。
【００９４】
ＨｅＮＢ  ＧＷ１３は、ダミーページング情報を用いて、ページングエリアのための、又は遅延パラメーターを設定するためのセルの選択を最適化することができる。これは、ダミーページングによって、ＵＥの最後の既知の位置に関連する最新の情報を記憶できるようになるので有用である。詳細には、ダミーページングは、ＵＥがＲＲＣ接続を有した最後のセルを用いる場合より最新の位置情報を提供する。
【００９５】
都合の良いことに、ダミーページングメッセージが送信されるセルは、上記のようなＵＥ位置関連情報及び付加情報に基づいて選択することができる。例えば、ＵＥ位置関連情報及び付加情報に基づいて、初期「ダミー」ページングエリア及び後続の「ダミー」ページングエリア（複数の場合もある）を動的に画定することができる。それゆえ、ダミーページングメッセージは最初に初期ダミーページングエリアにおいて送信することができ、関連するページング応答が受信されない場合には、その後に、他のページングエリアにおいて送信することができる。
【００９６】
変更形態及び代替形態
ＨＮＢ及びＨｅＮＢの一方又は両方を、ＨＮＢ及びＨｅＮＢ両方の二重機能を提供するデュアルフェムトアクセスポイントに置き換えることができる。
【００９７】
図１ａに示される通信システムでは、基地局及びホーム基地局は、Ｘ２インターフェースを介して、又は他の手段を介して、互いに通信するように動作することができる。ＭＭＥ１０は、Ｓ１インターフェースを介して、基地局及びホーム基地局の両方と通信するように構成することができ、ＨｅＮＢ  ＧＷは、Ｓ１インターフェースを介してホーム基地局と通信するように構成することができる。
【００９８】
図１ａにおいて、ＨｅＮＢ  ＧＷ１３はコアネットワーク８に直接接続されるが、ＨｅＮＢは、ブロードバンドアクセスネットワーク（例えば、ブロードバンドフォーラム、すなわちＢＢＦに準拠する）を介してコアネットワークに接続できることは理解されよう。
【００９９】
図１ｂにおいて、ＨｅＮＢ１１とコアネットワーク８との間の直接論理Ｕ−プレーン接続が示される。しかしながら、ＨｅＮＢからのＳ１−ＵインターフェースをＨｅＮＢ  ＧＷ１３において終端することができる。
【０１００】
図２において、セルはＬＴＥフェムトセルであり、それゆえ、各セルはＨｅＮＢによって運用される。しかしながら、セルは、任意のタイプのセル、例えば、ＵＴＲＡＮ又はＥ−ＵＴＲＡＮ基地局によってサービングされる正規の（マクロ）セルからなることができるか、又はそれらのセルの組み合わせとすることができる。
【０１０１】
単一のＴＡの４つのセルを含むＩＰＡが図２に示されるが、ＩＰＡ（又は後続のページングエリア）は、単一のセル又は一群のセルを含む場合があり、必ずしも単一のＴＡには限定されず、ＵＥ関連情報によっては、ＴＡの全てのセルを含む場合もある。
【０１０２】
図２を参照しながら説明された実施形態では、３つのページングエリアが存在する。実際には、同じ、又は異なるトラッキングエリアからのセルを含む、任意の数のページングエリアを画定することができる。詳細には、２つのページングエリアのみ、すなわち、上記のような初期ページングエリアと、ＵＥが登録されたトラッキングエリア（複数の場合もある）内の残りの全てのセルを含む二次ページングエリアとを画定することができる。
【０１０３】
図２において、各ページングエリア（すなわち、初期ページングエリア、二次ページングエリア及び三次ページングエリア）はトラッキングエリアＴＡ１のセルのサブセットである。しかしながら、各ページングエリアは必ずしも単一のトラッキングエリアには限定されない。
【０１０４】
図６に関連して、ＨｅＮＢ  ＧＷは、異なるタイプの上記の情報、詳細には、ＵＥの位置及びモビリティに関連する情報のいずれかを入手し、記憶することができ、後の時点で、この情報を用いて、ページングエリア（複数の場合もある）を画定することができる。また、ＨｅＮＢ  ＧＷは、オプションで、ページングエリアを画定するときに１つのタイプの情報だけを用いることができ、例えば、ＵＥ位置情報だけ、又はＵＥモビリティ情報だけを用いることができる。ＨｅＮＢ  ＧＷは、ＵＥモビリティ情報を用いて、ＵＥが高いモビリティ状態にあるか否かを判断することができ、ページングエリアを画定するときにこの判断を用いることができ、オプションで、ＵＥが高いモビリティ状態にあるとき、単一ステップページングを用いる（ＴＡの全てのセルを実質的に同時にページングする）ことができる。
【０１０５】
ＨｅＮＢ  ＧＷは、ＵＥの現在又は今後の位置の予測に基づいてページングエリアを画定することができ、その予測は、上記のような入手されたＵＥ位置情報及び付加情報、詳細には、ＵＥのセル間の移動に関連する情報に基づいて行われる。ページングエリアの形状及び向きは、ＵＥのセル間の移動に関連する情報によって決まる場合があり、例えば、モビリティ情報が、ＵＥが特定の方向において高速で移動していることを示す場合には、ＵＥの移動方向に延在するように位置決めされた、細長い形状のページングエリアを画定することができる。
【０１０６】
ＨｅＮＢ  ＧＷ１３は、タイミング情報に基づいて、ＵＥのセル間の移動の予想レベルを推定するように構成することができる。詳細には、ＨｅＮＢ  ＧＷ１３によってページング手順が開始された時刻、又はページング要求が送信／受信されることになる時刻から経過した時間を求めることによって（そして、モビリティ情報も合わせて）、ＨｅＮＢ  ＧＷ１３は、ＵＥの最後の既知の位置から補間及び／又は外挿し、現在の位置又は今後の位置を予測できるようになる。
【０１０７】
図６によれば、ＵＥから応答が受信されたか否か（ステップ６１３）及びＴＡリスト内にページングメッセージがまだ送信されていない任意の更なるセルが存在するか否か（ステップ６１７）を判断した後に、ステップ６１９において、後続のページングエリアが画定される。しかしながら、この段階に先立って後続のページングエリアが画定される場合もあることは理解されよう。詳細には、初期ページングエリアが画定されたときに、ステップ６０９において、有益なことに、１つ又は複数の後続のページングエリアが画定される場合がある。初期ページングエリアと同時に後続のページングエリア（複数の場合もある）を画定することによって、計算リソースをより効率的に使用できるようになる。
【０１０８】
図７に関連して、遅延パラメーターは、ページング要求の一部を構成する場合があるか、又はページング要求とともに別のメッセージとして送信される場合がある。好ましくは、遅延情報要素（ＩＥ）の形で遅延パラメーターが与えられる。
【０１０９】
図７に関連して、各セルが別々のＨｅＮＢによって運用され、それゆえ、ＨｅＮＢ  ＧＷ１３がページング要求をｎ個のＨｅＮＢに送信するように構成されると仮定される。しかしながら、ＨｅＮＢが２つ以上のセルを運用する場合があることは当業者には理解されよう。
【０１１０】
上記の説明において、ＲＲＣ接続が参照される。しかしながら、当業者は容易に理解するように、ＵＥは、代わりに、ＨｅＮＢ及び／又はＨｅＮＢ  ＧＷとのＲＲＣ接続以外のタイプの接続を行うことができる。
【０１１１】
図８と、関連するダミーページングの説明とに関連して、ダミーページングは、ＲＲＣ接続又は他のタイプの接続においてＨｅＮＢに以前に接続されていたＵＥに対してＨｅＮＢによって開始される場合がある。代替的には、ＨｅＮＢ  ＧＷは、例えば、ＵＥ位置情報、及び／又はＵＥモビリティ情報及びタイミング情報のような他のタイプの情報に基づいて、ＵＥに対するダミーページングを開始するようにＨｅＮＢを構成することができる。
【０１１２】
上記の実施形態において説明されるようなＨｅＮＢ  ＧＷの機能のうちの幾つか又は全てを、代わりに、ＭＭＥ１０若しくは別のコアネットワークエンティティによって、又はサービングゲートウェイ（Ｓ−ＧＷ）のような異なるゲートウェイによって提供することができる。また、本発明はＨｅＮＢを参照しながら説明されるが、説明された発明は同じく、ＨＮＢ、ｅＮｏｄｅＢ及びＮｏｄｅＢのような他のネットワークデバイスとともに用いることができることは理解されよう。
【０１１３】
ＵＥ位置情報及び付加情報の両方に関して、ＨｅＮＢ  ＧＷ１３は、この情報を収集し、メモリに記憶することができるか、又はＨｅＮＢ  ＧＷ１３は、別のメモリからの情報にアクセスすることができるか、又はＭＭＥ若しくはＴＣＥのような、１つ若しくは複数の個別のネットワークデバイスから情報を入手することができる。
【０１１４】
上記の実施形態では、移動電話に基づく電気通信システムが記述された。当業者は理解するように、本出願において記述されたシグナリング技法は、他の通信システムにおいて利用することができる。他の通信ノード又はデバイスは、例えば、携帯情報端末、ラップトップコンピューター、ウェブブラウザー等のユーザーデバイスを含むことができる。当業者は理解するように、上記のシステムが移動通信デバイスのために用いられることは不可欠ではない。そのシステムを用いて、移動通信デバイスと同様に、又はその代わりに、１つ又は複数の固定コンピューティングデバイスを有するネットワークを改善することができる。
【０１１５】
上記の例示的な実施形態では、複数のソフトウェアモジュールが説明された。当業者であれば理解するように、それらのソフトウェアモジュールは、コンパイル済みの形式又は未コンパイルの形式において与えることができ、コンピューターネットワークを介して信号として、又は記録媒体においてノードに供給することができる。さらに、このソフトウェアの一部又は全部によって実行される機能は、１つ又は複数の専用のハードウェア回路を用いて実行することもできる。しかしながら、ソフトウェアモジュールの使用は、その機能を更新するためにノードを更新することを容易にするので好ましい。同様に、上記の実施形態は送受信機回路を利用したが、送受信機回路の機能のうちの少なくとも幾つかはソフトウェアによって実行することができる。
【０１１６】
種々の他の変更は当業者には明らかであり、ここでは、これ以上詳しくは説明しない。
【０１１７】
本出願は、２０１２年８月１日に出願された英国特許出願第１２１３７１１．３号を基礎としており、この英国特許出願の優先権の利益を主張する。この英国特許出願の開示は、引用することによりその全体が本明細書の一部をなす。
【図１ａ】
0005896193.tif 000002
【図１ｂ】
0005896193.tif 000003
【図１ｃ】
0005896193.tif 000004
【図２】
0005896193.tif 000005
【図３】
0005896193.tif 000006
【図４】
0005896193.tif 000007
【図５】
0005896193.tif 000008
【図６】
0005896193.tif 000009
【図７】
0005896193.tif 000010
【図８ａ】
0005896193.tif 000011
【図８ｂ】
0005896193.tif 000012